(57)【特許請求の範囲】
【請求項１】
学習机の天板上に配設される書棚構成部材に、給電用ソケットをそれの差し込み接続方向が左右方向となる状態で取付けてある学習机用書棚であって、
前記書棚構成部材が、前記天板上に載置される卓上電気機器が前方から入り込み可能な凹部を備えた棚板であり、該棚板の下面に、前記給電用ソケットを備えた電装用ケースが、前記給電用ソケットの通電差し込み口が凹部側に向かう状態で取付けられている学習机用書棚。
【請求項２】
前記電装用ケースの左右方向の一側面に、前記給電用ソケットが配設され、かつ、電装用ケースの前面には、前記書棚構成部材に設けられる灯具に対するスイッチが配設されている請求項１記載の学習机用書棚。
【請求項３】
前記棚板の下面には、引出しを前後方向に移動自在に案内するためのガイド部を備えた取付け板が設けられているとともに、前記取付け板と棚板とに亘って前記電装用ケースが取付けられている請求項１又は２記載の学習机用書棚。
【請求項４】
前記電装用ケースには、前記取付け板の前面を覆うカバー部が一体形成されている請求項３記載の学習机用書棚。
【発明の詳細な説明】
【０００１】
【発明の属する技術分野】
本発明は、学習机の天板上に配設される書棚で、詳しくは、鉛筆削り器やコンピュータ（ハードディスクやディスプレイ）等の卓上電気機器に対する電源となる給電用ソケットの取付け構造の改良に関する。
【０００２】
【従来の技術】
従来の学習机用書棚では、学習机の天板上に配設される書棚の構成部材のうち、前記天板と上下方向で対面する棚板の前端側に、給電用ソケットを備えた電装用ケースを、前記給電用ソケットの差し込み接続方向が前後方向となる状態で取付けていた（例えば、実開平７ー９１３３号公報参照）。
【０００３】
【発明が解決しようとする課題】
従来の学習机用書棚では、電装用ケースの給電用ソケットの通電差し込み口が前方に向かって開口しているため、卓上電気機器側の電源コードのプラグを給電用ソケットに差し込み接続したとき、その電源コードの途中を左右方向や後方に沿わせて配置しても、該電源コードの基部側が前方に向かって湾曲突出するため、この突出する電源コードの基部側が邪魔になるばかりでなく、圧迫感があるため、学習机の天板の見掛け上の有効面積が小さくなるような印象を与え易い。
また、このような問題を解決する方法として、書棚の後側板（背面板）のうち、前記天板と上下方向で対面する棚板よりも下方に位置する部位に、給電用ソケットを備えた電装用ケースを、前記給電用ソケットの通電差し込み口が前方に向く状態で取付けることが考えられるが、これによる場合は、給電用ソケットの位置が天板上の最も奥側に位置し、かつ、棚板の下方を通して差し込み接続操作しなければならないため、その接続に手間取り易く、特に、低学年では、天板上に乗り出した無理な姿勢が強いられる問題がある。
【０００４】
本発明は、上述の実情に鑑みて為されたものであって、その目的は、前記給電用ソケットを着座位置から差し込み接続し易い前方側に配置しながらも、給電用ソケットに接続される電源コードが机上作業等の邪魔になることが少なくなり、しかも、電源コードによる圧迫感を回避して、学習机の天板の見掛け上の有効面積を大きくすることのできる学習机用書棚を提供する点にある。
【０００５】
【課題を解決するための手段】
前記目的を達成するための本発明の請求項１による学習机用書棚の特徴構成は、学習机の天板上に配設される書棚構成部材に、給電用ソケットをそれの差し込み接続方向が左右方向となる状態で取付けてある学習机用書棚であって、
前記書棚構成部材が、前記天板上に載置される卓上電気機器が前方から入り込み可能な凹部を備えた棚板であり、該棚板の下面に、前記給電用ソケットを備えた電装用ケースが、前記給電用ソケットの通電差し込み口が凹部側に向かう状態で取付けられている点にある。
前記特徴構成によれば、前記給電用ソケットを書棚構成部材の前方側に配置しても、該給電用ソケットに差し込み接続された電源コードが前方に突出することがない。
従って、前記給電用ソケットの差し込み接続方向を左右方向に向けるだけの簡単、かつ、経済的な改造をもって、前記給電用ソケットを着座位置から差し込み接続し易い前方側に配置しながらも、給電用ソケットに差し込み接続される電源コードが机上作業等の邪魔になることが少なくなり、しかも、電源コードによる圧迫感がないため、学習机の天板の見掛け上の有効面積を大きくすることができる。
【０００６】
しかも、前記天板上に載置される卓上電気機器を棚板の凹部内に入り込み配置することができるから、天板上面を有効に活用することができるとともに、この入り込み配置された卓上電気機器の電源コードを前方側に突出することなく給電用ソケットに容易に差し込み接続することができる。
【０００７】
本発明の請求項２による学習机用書棚の特徴構成は、前記電装用ケースの左右方向の一側面に、前記給電用ソケットが配設され、かつ、電装用ケースの前面には、前記書棚構成部材に設けられる灯具に対するスイッチが配設されている点にある。
前記特徴構成によれば、前記給電用ソケットとスイッチとを、前記電装用ケースの左右方向の一側面と前面とに振り分け配置してあるから、複数の給電用ソケットを設ける場合でも、棚板の比較的大きな前後幅を利用して電装用ケースの前後幅を容易に確保することができるから、電装用ケースの左右幅を小さく構成しながらも、給電用ソケットの数を自由に設定することができる。しかも、使用頻度の高い灯具用スイッチの操作を着座位置から無理な姿勢をとることなく容易に行うことができる。
【０００８】
本発明の請求項３による学習机用書棚の特徴構成は、前記棚板の下面に、引出しを前後方向に移動自在に案内するためのガイド部を備えた取付け板が設けられているとともに、前記取付け板と棚板とに亘って前記電装用ケースが取付けられている点にある。
前記特徴構成によれば、引出しの荷重が掛かる取付け板を、前記電装用ケースを利用して棚板に強固に取り付けることができる。
【０００９】
本発明の請求項４による学習机用書棚の特徴構成は、前記電装用ケースに、前記取付け板の前面を覆うカバー部が一体形成されている点にある。
前記特徴構成によれば、前記取付け板と棚板とに亘って電装用ケースを取付けるだけで、該電装用ケースのカバー部をもって取付け板の前面を覆うことができるから、前記取付け板の前面に塩化ビニールシート等の表面装飾用シートを貼付けるといった熟練と手間を要する製造工程を削減することができ、その分だけ製造コストの低廉化を図り易い。
【００１０】
【発明の実施の形態】
図１は、机本体Ａの天板１上に、複数の書籍類を収納可能な書棚Ｂを着脱自在に取付けてある学習机を示し、前記書棚Ｂは、後述の引出し７及び電装用ケース１８を備えた下側書棚部Ｂ１と、後述の蛍光灯８を備えた上側書棚部Ｂ２とから構成されているとともに、前記上側書棚部Ｂ２は、下側書棚部Ｂ１に対して着脱自在に固定連結されている。
前記下側書棚部Ｂ１は、左右一対の横側板３Ａと後側板（背面板）４Ａとに亘って、それらの下端から、換言すれば、前記机本体Ａの天板１から上方に所定間隔を隔てた状態で下側棚板５Ａを取付け、この下側棚板５Ａの左右方向一側部には、前記机本体Ａの天板１上に載置されるコンピュータのハードディスクやディスプレイ等の卓上電気機器が前方から入り込み可能な凹部５ａを形成するとともに、前記下側棚板５Ａの左右方向他側部の下面側には、前後方向に沿って出し入れ操作自在な引出し７を配設し、更に、前記下側棚板５Ａの左右方向他側部の上面と後側板４Ａとに亘って、左右方向に間隔を隔てて位置する複数の仕切板６Ａを取付けて構成されている。
前記上側書棚部Ｂ２は、左右一対の横側板３Ｂと後側板（背面板）４Ｂとに亘って、それらの下端から上方に所定間隔を隔てた状態で上側棚板５Ｂを取付け、この上側棚板５Ｂの上面と後側板４Ｂとに亘って、左右方向に間隔を隔てて位置する複数の仕切板６Ｂを取付けるとともに、前記上側棚板５Ｂの下面には、前記天板１の上面を照らす灯具の一例である蛍光灯８を、左右方向の横軸芯周りの一定角度範囲内で回動自在に取付けて構成されている。
【００１１】
前記引出し７の取付け構造は、前記下側棚板５Ａの下面のうち、前記凹部５ａの横側脇近くの部位とこれに対応する後側板４Ａとに亘って、前後方向に沿う鉛直姿勢の取付け板９を取付けるとともに、この取付け板９と、前記凹部５ａの存在側とは反対側に位置する一方の横側板３Ａとの相対向面の各々に、引出し７の側板７Ａに設けた摺動レール１０を前後方向に移動自在に案内するガイド部の一例であるガイドレール１１（尚、横側板３Ａ側のガイドレールは図示していない）を取付けて構成されている。
【００１２】
そして、前記下側棚板５Ａの下面と取付け板９とに亘って、二つの給電用ソケット（差し込みコンセント）１５と、前記蛍光灯８の電気回路に接続されたオン・オフ操作用のスイッチ１６及びヒューズ１７とを備えた合成樹脂製の電装用ケース１８がビス１９にて取付けられている。
詳しくは、前記電装用ケース１８に、下側棚板５Ａの下面に下方から接当する第１取付けフランジ１８Ａと、取付け板９の下面に下方から接当する第２取付けフランジ１８Ｂとを一体形成して、これら両取付けフランジ１８Ａ，１８Ｂの各々に形成したビス孔１８ａ．１８ｂに挿通されたビス１９により、電装用ケース１８を下側棚板５Ａの下面と取付け板９の下面とに亘って固定してある。
【００１３】
また、前記電装用ケース１８の前面に前記スイッチ１６を配設するとともに、電装用ケース１８の左右の側面のうち、前記凹部５ａに臨む一側面には、前記両給電用ソケット１５とヒューズ１７とを配設して、前記各給電用ソケット１５の差し込み接続方向が左右方向になるように、換言すれば、各給電用ソケット１５の通電差し込み口１５ａが左右方向に沿って前記凹部５ａ側に向くように構成してある。
【００１４】
更に、前記電装用ケース１８の後面には、後側板４Ａに形成された貫通孔４ａを通して挿通された電源コード２０のプラグ２１が後方から差し込み接続可能で、かつ、前記両給電用ソケット１５とヒューズ１７及びスイッチ１６に電気的に接続された受電用ソケット２２が配設されているとともに、前記電装用ケース１８の後面と後側板４Ａとの前後間にはコード配設用の空間Ｓが形成され、更に、前記電装用ケース１８には、前記取付け板９の前端面を覆うカバー部１８Ｃが一体形成されている。
【００１５】
前記電装用ケース１８の上下幅は、前記引出し７の上下幅と同一又はほぼ同一寸法に構成されているとともに、前記電装用ケース１８の底面の中央部は上方に凹入形成されていて、前記第２取付けフランジ１８Ｂに連続する鉛直方向のケース部分１８Ｄが取付け板９の一側面に接当するように構成されている。
【００１６】
前記机本体Ａの天板１上に載置したコンピュータのハードディスクやディスプレイを、前記下側棚板５Ａの凹部５ａに入り込み配置する場合、ディスプレイの一部が上側書棚部Ｂ２に当たる場合は、該上側書棚部Ｂ２を下側書棚部Ｂ１から取り外す。
また、前記下側棚板５Ａの凹部５ａにコンピュータ等の卓上電気機器を入り込み配置しない場合には、この凹部５ａ形成箇所に、補助棚板や小物入れケース等を脱着自在に取付けるとよい。
【００１７】
〔別実施形態〕
▲１▼  上述の実施形態では、前記書棚Ｂとして、下側書棚部Ｂ１と上側書棚部Ｂ２とに分離可能なものを用いたが、下側書棚部Ｂ１と上側書棚部Ｂ２とが一体的に形成されているものを用いて実施してもよい。
▲２▼  上述の実施形態では、前記電装用ケース１８に二つの給電用ソケット１５を組み付けたが、一つ又は三つ以上の給電用ソケット１５を電装用ケース１８に組み付けて実施してもよい。
▲３▼  上述の実施形態では、前記電装用ケース１８に給電用ソケット１５を組み付けたが、この給電用ソケット１５を書棚Ｂの構成部材に直接組み付けて実施してもよい。
▲４▼  上述の実施形態では、前記電装用ケース１８を、下側棚板５Ａの下面と取付け板９とに亘って固定したが、この電装用ケース１８を下側棚板５Ａの下面にのみ固定して実施してもよく、また、棚板５Ａ以外の書棚構成部材に固定して実施してもよい。
▲５▼  上述の実施形態では、電装用ケース１４の側面に、複数（二つ）の給電用ソケット１５を同じ高さ位置で前後方向に並設したが、この複数の給電用ソケット１５を上下方向に間隔を隔てて並設してもよく、更に、前後方向と上下方向とに間隔を隔てて取付けてもよい。
▲６▼  上述の実施形態では、灯具８として蛍光灯を用いたが、蛍光灯以外の光源を用いて実施してもよく、また、このような灯具８を有していない学習机用書棚であってもよい。
▲７▼  上述の実施形態では、引出し７を前後方向に移動自在に案内するためのガイド部を、取付け板９に固定したガイドレール１１から構成したが、該取付け板９に形成された溝状のものから構成してもよい。
要するに、前記ガイド部としては、引出し７を前後方向に移動案内することのできるものであればよい。
【図面の簡単な説明】
【図１】本発明の実施形態を示す学習机用書棚の斜視図
【図２】要部の拡大断面側面図
【図３】図２のＩＩＩ−ＩＩＩ線断面図
【図４】図２のＩＶ−ＩＶ線断面図
【符号の説明】
１        天板
５Ａ      棚板（下側棚板）
５ａ      凹部
８        灯具（蛍光灯）
９        取付け板
１１      ガイド部（ガイドレール）
１５      給電用ソケット
１５ａ    通電差し込み口
１６      スイッチ
１８      電装用ケース
１８Ｃ    カバー部
【図１】
0003688062.tif 000002
【図２】
0003688062.tif 000003
【図３】
0003688062.tif 000004
【図４】
0003688062.tif 000005